(57)【要約】【課題】直型の仮設階段に追加し、仮設階段の側面からの昇降を可能とする仮設階段構造を提供する。【解決手段】一対の側板と該側板間に固定される複数の踏板１２からなる直型階段２と、該踏板１２のいずれか一つに取り付けられる踊り場３と、該踊り場３に固定されて仮設階段２の側面に取り付けられる昇降階段４からなる仮設階段構造１により解決される。踊り場３の踏板１２に固定される側と反対の側には、踊り場３を支持する支柱２４が備えられ、該支柱２４は、踊り場３より下方にある踏板１２に支持されているとよい。【選択図】  図１
2014012943.tif 000002
【特許請求の範囲】
【請求項１】
一対の側板と該側板間に固定される複数の踏板からなる直型の仮設階段と、該踏板のいずれか一つに取り付けられる踊り場と、該踊り場に固定されて仮設階段の側面に取り付けられる昇降階段からなることを特徴とする仮設階段構造。
【請求項２】
前記踊り場の踏板に取り付けられる側と反対の側には、踊り場を支持する支柱が備えられ、該支柱は、踊り場を取り付ける踏板より下方にある踏板に支持されている請求項１に記載の仮設足場構造。
【請求項３】
前記昇降階段は一対の側板とその側板間に固定される踏板からなり、該一対の側板は、それぞれ前記仮設階段の一方の側板を跨いで、前記踊り場に取り付けられている請求項１又は２に記載の仮設階段構造。
【発明の詳細な説明】
【技術分野】
【０００１】
本発明は、仮設階段構造に関する。詳しくは、直型の仮設階段に追加し、直型の仮設階段の側面からの昇降を可能とする仮設階段構造に関する。
【背景技術】
【０００２】
建設中の建物の上下階の移動に供するため、上階の床面に形成された吹き抜け部を利用して仮設階段を設置することは従来より行われている。
【０００３】
特に、戸建住宅では、階段室を設けるため、２階の床面に吹き抜け部が形成されており、階段室に正規の階段を設置するまでの間、仮設階段が設置される。
【先行技術文献】
【特許文献】
【０００４】
【特許文献１】特開２００８−２０８６６５号公報
【発明の概要】
【発明が解決しようとする課題】
【０００５】
しかし、この吹き抜け部を利用した仮設階段では、その設置位置によっては、仮設階段の下端部が、壁面に当接若しくは近接する場合がある。特に、戸建住宅の場合には、階段室は外部の太陽光を取り入れるため、また建物の配置プラン上、いずれかの壁面に沿って設けられることが多く、仮設足場の下端部が、壁面に当接若しくは近接する場合が非常に多い。
【０００６】
仮設足場の下端部が、壁面に当接若しくは近接してしまうと、仮設階段の昇降方向を壁面が塞いでしまうため、仮設階段を使った昇降が困難となってしまう。そのため、仮設階段から下階の床面へ又は下階の床面から仮設階段への移動は、仮設階段の昇降方向ではなく、側面側から行わなければならず、仮設階段の側板に足を引っ掛けてしまう恐れがある。そもそも仮設階段は、施工中の建物に設置するものであるため、建設資材や工具等を持ちながら仮設階段を利用する機会が多く、この仮設足場の設置の不十分さに起因する危険度は高い。
【０００７】
本発明は、以上のような問題点に鑑み、直型の仮設階段に追加し、仮設階段の側面からの昇降を可能とする仮設階段構造を提供することを課題とする。
【課題を解決するための手段】
【０００８】
上記の課題は、一対の側板と該側板間に固定される複数の踏板からなる直型の仮設階段と、該踏板のいずれか一つに取り付けられる踊り場と、該踊り場に固定されて仮設階段の側面に取り付けられる昇降階段からなることを特徴とする仮設階段構造により解決される。
【０００９】
この仮設階段構造において、仮設階段の踏板に踊り場が取り付けられ、その踊り場に固定されて仮設階段の側面に昇降階段が取り付けられているので、直型の階段でありながら踊り場及び昇降階段により、略Ｌ字型の仮設階段が形成され、仮設足場の下端部が、壁面に当接若しくは近接し、仮設階段の昇降方向を壁面が塞いでしまう場合であっても、踊り場及び昇降階段を通じて、安全に仮設階段を昇降することができる。
【００１０】
また、仮設階段に踊り場及び昇降階段を取り付けるだけであるので、既設の直型の仮設階段であっても、容易に略Ｌ型の仮設階段とすることができる。
【００１１】
この仮設階段構造において、踊り場の、踏板に取り付けられる側と反対の側には、踊り場を支持する支柱が備えられ、該支柱は、踊り場を取り付ける踏板より下方にある踏板に支持されているとよい。
【００１２】
踊り場が支柱により、踊り場を取り付ける踏板より下方にある踏板に支持されるので、踊り場は踏板への取り付け及び支柱での支持により、しっかりと安定的に仮設階段に固定され、仮設階段の踊り場を構造的に安定したものとすることができる。また、踊り場及び昇降階段を取り付けた後は利用しない踊り場の下方の踏板を利用して踊り場を支持しているので、踊り場の支持に余計なスペースや部材が必要でなく、効率的に仮設階段構造を実現することができる。
【００１３】
また、この仮設階段構造において、前記昇降階段は一対の側板とその側板間に固定される踏板からなり、該一対の側板は、それぞれ前記仮設階段の一方の側板を跨いで、前記踊り場に取り付けられているとよい。
【００１４】
昇降階段の一対の側板が、それぞれ仮設階段の一方の側板を跨いで、踊り場に取り付けられているので、踊り場に昇降階段をしっかりと取り付けることができる。
【発明の効果】
【００１５】
本発明は以上のとおりであるから、直型の仮設階段に追加し、直型の仮設階段の側面からの昇降を可能とする仮設階段構造を提供することができる。
【図面の簡単な説明】
【００１６】
【図１】図（イ）は、本発明の実施形態である仮設階段構造を示す側面図、図（ロ）は、その設置状況を示す側面図である。
【図２】図（イ）は、直型階段を示す側面図、図（ロ）は、同平面図、図（ハ）は、同正面図である。
【図３】図（イ）は、踊り場を示す側面図、図（ロ）は、同平面図、図（ハ）は、同正面図、図（二）は、裏面側の平面図、図（ホ）は、図（イ）の部分拡大側面図である。
【図４】図（イ）は、昇降階段を示す側面図、図（ロ）は、同平面図、図（ハ）は、同正面図である。
【図５】図（イ）乃至（二）は、図６（ホ）乃至（ト）と共に、仮設階段構造の設置除状況を示す斜視図である。
【図６】図（ホ）乃至（ト）は、図５（イ）乃至（二）と共に、仮設階段構造の設置除状況を示す斜視図である。
【発明を実施するための形態】
【００１７】
次に、本発明の実施形態を図面に基づいて説明する。
【００１８】
図１に示す、戸建住宅の１階と２階の間に仮設される本発明の実施形態である仮設階段構造１において、２は、１階と２階の間に懸架される直型階段、３は踊り場、４は昇降階段である。なお、２Ａは、直型階段に取り付けられる手摺りである。
【００１９】
仮設階段構造１は、図１（ロ）に示すように戸建住宅５の外壁内面に隣接する階段室を設けるための空間に設置され、仮設階段構造の直型階段の上端部は、２階床面６に、下端部は１階床面７に支持され、直型階段の下端側昇降進路は、外壁内面に塞がれている。
【００２０】
図２に示すように、直型階段２は、側板を構成する２つの棒材１０，１１と、左右一対の側材に固定される複数の踏板１２‥からなる。１３は棒材１０，１１どうしを連結する連結部材、１４は棒材１１の下端部にピン接合され、床面と当接する当接部材であり、その端部当接部には滑り止め材１５が貼付されている。
【００２１】
また、図１（ロ）に示すように、側板を構成する棒材１０に対し、手摺り２Ａを取り付けてもよい。この場合、手摺り２Ａは、直型階段の下端まで設置するのではなく、踊り場を介して昇降階段へ移動するために、手摺り２Ａを設置する下限を、踊り場を設置する位置までに留めておくとよい。
【００２２】
図３に示すように、踊り場３は、踊り場本体２０と、踊り場本体２０の裏面に設けられ、直型階段２の踏板１２‥と係合する踏板係合部２１、支柱２４，２４からなる。
【００２３】
踊り場本体２０は、直型階段２の踏板１２と幅が略等しく奥行きが長い平面視略正方形の板材である。踏板係合部２１は、踊り場本体２０の奥行き方向に平行に配置される、断面視Ｉ型とＬ型の係合片２２，２３からなり、直型階段２の踏板１２の上部から設置し、水平方向に移動させることで踏板１２に係合することができる。
【００２４】
支柱２４は、棒材からなり踊り場本体２０の裏面に、踊り場本体２０の幅方向端部側にそれぞれ１本ずつ計２本備えられている。支柱２４には、踏板１２の側面を狭持し、支柱２４の長さ方向に移動可能なクランプ２５が備えられている。クランプ２５には、支柱２４に対して移動可能なクランプ２５を支柱２４に固定するための、固定機構として蝶ボルト２６と、踏板１２の側面に狭持したクランプ２５を踏板１２に固定するための固定機構としての蝶ボルト２７が備えられている。
【００２５】
また、踊り場本体２０の裏面には後述する昇降階段４の係合孔３７が係合する突起部２８が昇降階段４の一対の側板間の間隔にあわせて２つ、踊り場３の幅方向にそれぞれ一対ずつ、それぞれ一対の突起部２８，２８がそれぞれ同一方向に突起して設けられている。
【００２６】
図４に示すように、昇降階段４は、側板を構成する２つの棒材３０，３１と、一対の側材に固定される複数の踏板３２‥からなる。３３，３４は棒材３０，３１どうしを連結する連結部材、３５は棒材３１の下端部にピン接合され、床面と当接する当接部材であり、その端部当接部には滑り止め材３６が貼付されている。昇降階段４の上端部に設けられる連結部材３３，３３には、踊り場３の突起部２８，２８が係合する係合孔３７，３７が設けられている。
【００２７】
仮設階段構造１は、次のようにして設置される。
【００２８】
図５（イ）に示すように、戸建住宅の１階と２階の吹き抜け部に、下端部を１階の床面に支持し、上端部を２階の床面に支持して設置された直型階段２の、下から３段目の踏板１２に踊り場３を取り付ける。
【００２９】
図５（ロ）に示すように、踊り場３の取り付けは、３の裏面に設けられた断面視Ｉ型とＬ型の係合片２２，２３からなる踏板係合部２１の係止片２２，２３の間に踏板１２を嵌め込み、踊り場３を水平移動させることにより、断面視Ｌ型の係合片２３と踏板１２の側面が係合し、しっかりと踏板１２に踊り場３が固定される。
【００３０】
図５（ハ）に示すように、踊り場３の２本の支柱２４，２４に備えられたクランプ２５，２５の位置を調整し、直型階段２の１段目の踏板１２の側面にクランプ２５，２５を係合させ、蝶ボルト２７，２７によりクランプ２５，２５を踏板１２に固定する。
【００３１】
図５（ニ）、図６（ホ）に示すように、支柱２４，２４に対するクランプ２５，２５の取り付け位置を調整することにより、踊り場３の水平レベルを調整し、踊り場３が水平となる高さ位置で、蝶ボルト２６，２６により支柱２４，２４にクランプ２５，２５を固定する。
【００３２】
次に、図６（ヘ）、（ト）に示すように、昇降階段４を踊り場３に取り付ける。昇降階段４の踊り場３への取り付けは、昇降階段４の上端部に設けられる左右の連結部材３３，３３に設けられた係合孔３７，３７に、踊り場本体２０の裏面に設けられた突起部２８，２８を挿入して行う。突起部２８，２８は、それぞれ同一方向に突起しているので、昇降階段４を側方から水平移動することにより、左右両方に設けられた突起部２８，２８を連結部材３３，３３の係合孔３７，３７に容易に挿入し、固定することができる。
【００３３】
なお、係合孔３７，３７は２つの大きさの異なる丸孔が連なった略瓢箪型で、一方の丸孔が突起部２８の頭部より大きく、もう一方の丸孔が突起部２８の頭部よりも小さく、突起部２８，２８を係合孔３７，３７の一方の大きい丸孔に挿入後、もう一方の小さい丸孔側に突起部２８，２８をスライドすることで、係合孔３７，３７から突起部２８，２８の抜けを防止でき、昇降階段４が踊り場３から脱落することを防止することができる。
【００３４】
また、踊り場３には、その幅方向両端部に突起部２８が対で設けられているので、仮設階段の設置場所の状況に応じて、直型階段２の左右どちらの側面にも昇降階段４を設置することができる。
【００３５】
この仮設階段構造において、仮設階段の踏板に踊り場が取り付けられ、その踊り場に固定されて仮設階段の側面に昇降階段が取り付けられているので、直型の階段でありながら踊り場及び昇降階段により、略Ｌ字型の仮設階段が形成され、仮設足場の下端部が、壁面に当接若しくは近接し、仮設階段の昇降方向を壁面が塞いでしまう場合であっても、踊り場及び昇降階段を通じて、安全に仮設階段を昇降することができる。
【００３６】
踊り場が支柱により、踊り場より下方にある踏板に支持されるので、踊り場は踏板への取り付け及び支柱での支持により、しっかりと安定的に仮設階段に固定され、仮設階段の踊り場を構造的に安定したものとすることができる。また、踊り場及び昇降階段を取り付けた後は利用しない踊り場の下方の踏板を利用して踊り場を支持しているので、踊り場の支持に余計なスペースや部材が必要でなく、効率的に仮設階段構造を実現することができる。
【００３７】
また、支柱に設けられたクランプの高さ方向が移動可能となっているので、直型階段の踏板高さが異なっても、適宜高さ方向を調整して取り付けることができる。
【００３８】
以上に、本発明の実施形態を示したが、本発明はこれに限られるものではなく、発明思想を逸脱しない範囲で各種の変更が可能である。例えば、上記の実施形態では、Ｌ型に設置できる仮設階段構造の場合を示したが、既設の直型階段に踊り場及び昇降階段を取り付けることで実現してもよく、既設の直型階段に、踊り場と昇降階段を設置するだけで、既設の直型階段であっても、Ｌ型の仮設階段とすることができる。特に、直型階段への踊り場の取り付けは、直型階段の踏板への、踊り場係合部の係合により実現しているので、既設の直型階段であっても、特別なアタッチメント等を用いることなく容易に取り付けることができる。
【００３９】
また、上記の実施形態では、踊り場を、直型階段の下から３段目の踏板に取り付けた場合について示したが、踊り場を取り付ける踏板の位置に制限はなく、本仮設階段構造が設置される状況に合わせて、踊り場の取り付けられる踏板の位置は適宜選択されるとよいのはいうまでもない。
【００４０】
さらに、本実施形態では、直型階段及び昇降階段の側板が、２本の棒材により構成される場合について示したが、側板の形態は、これに限定されることはなく、一枚の板材により構成されていてもよいし、３本以上の棒材により構成されていてもよいし、これ以外の方法によってもよいのはいうまでもない。
【符号の説明】
【００４１】
１・・・仮設階段構造
２・・・直型階段
３・・・踊り場
４・・・昇降階段
１０，１１・・・棒材（側板）
１２・・・踏板
２４・・・支柱
【図１】
2014012943.tif 000003
【図２】
2014012943.tif 000004
【図３】
2014012943.tif 000005
【図４】
2014012943.tif 000006
【図５】
2014012943.tif 000007
【図６】
2014012943.tif 000008